(57)【要約】【課題】背面カバーの軽量化を図りつつ、必要に応じて表示部の起立状態を保ったまま全ての背面カバーを取り外すことができ、かつ、メンテナンスを効率的に行うことができる表示装置を提供する。【解決手段】表示装置は、前面に表示部４０を配置し背面に電気部品１６を配置したシャーシ３と、シャーシ３の背面にあって電気部品１６を被うように配置される背面カバー５、６と、シャーシ３を背面で支持するスタンド支柱２とを備える。そして、背面カバー５、６は複数に分割され、スタンド支柱２とは独立して着脱可能である。【選択図】図２
2009229998.tif 000002
【特許請求の範囲】
【請求項１】
前面に表示部を配置し背面に電気部品を配置したシャーシと、
前記シャーシの背面にあって前記電気部品を被うように配置される背面カバーと、
前記シャーシを背面で支持するスタンド支柱とを備え、
前記背面カバーは複数に分割され、前記スタンド支柱とは独立して着脱可能であることを特徴とする表示装置。
【請求項２】
前記背面カバーの分割数ｎは、前記スタンド支柱の本数ｍに対してｎ＝ｍ＋１で構成されることを特徴とする請求項１記載の表示装置。
【請求項３】
前記背面カバーは、前記スタンド支柱の後方または側方に着脱可能であることを特徴とする請求項１または２記載の表示装置。
【請求項４】
前記背面カバーは、前記シャーシの背面、天面、左右側面、底面を被うことが可能であることを特徴とする請求項１乃至３のいずれかに記載の表示装置。
【請求項５】
前記背面カバーの少なくとも１つには、前記スタンド支柱と前記背面カバーとの間に生じる隙間を塞ぐための隠蔽部が設けられていることを特徴とする請求項１乃至４のいずれかに記載の表示装置。
【発明の詳細な説明】
【技術分野】
【０００１】
本発明は、表示装置に関し、特に、表示パネルの背面を被う外装カバーの構造に特徴のある表示装置に関する。
【背景技術】
【０００２】
近年、大型のプラズマディスプレイ装置や液晶ディスプレイ装置等の表示装置がテレビ、パソコン端末、広告表示媒体、案内表示等の用途として普及しつつある。これらの表示装置の基本構造は、表示部（表示装置本体）、電気回路部、それらを支持するスタンド支柱や台座部、外装部からなる。表示部を支持するスタンド支柱は、外装部底面から差し込むものや外装部の背面カバー後方から保持するものがある。
【０００３】
表示部を支持するスタンド支柱が外装部の背面カバー後方から保持する従来例を、図７を参照しながら説明する。
【０００４】
図７において、表示装置の表示部背面のシャーシ１０４には、電気部品１０５やフレーム１０６が配されている。シャーシ１０４の背面を被う背面カバー１０３は、外周部の留め穴（図示せず）で表示部前方の枠体（図示せず）もしくはシャーシ１０４に対してねじ等で締結される。
【０００５】
次に、背面カバー１０３の後方よりねじ１０８を、背面カバー１０３とスタンド支柱１０２を貫通させ、雌ねじ穴１０７と締結する。スタンド支柱１０２は、台座１０１によってほぼ垂直に保持されている。
【０００６】
このように、外装部である背面カバー１０３の後方からスタンド支柱１０２でシャーシ１０４を保持する特徴として、背面カバー１０３とシャーシ１０４の間にスタンド支柱１０２を差し込むための領域を設ける必要が無いということが挙げられる。そのため、表示部の薄型化や外観デザインの自由度の向上が可能である。
【０００７】
その反面、電気部品１０５のメンテナンスの際は、ねじ１０８を取り外すことによりスタンド支柱１０２と表示部を分離して背面カバー１０３を取り外す必要があった。このように、表示部をスタンド支柱１０２に立てたまま作業ができないため、特に大型の表示装置である場合は一人の作業者での対応が困難であった。
【０００８】
この作業性の問題に対する解決技術として、表示部を支持した状態のままメンテナンス作業を行うことができる従来例を図８（特許文献１参照）で説明する。
【０００９】
図８に示す表示装置においては、前面カバー１０９の背面に表示部を有するシャーシ１１０を取り付け、その後方に、シャーシ１１０を被うように背面カバー１１２、背面カバー１１３、背面カバー１１４を取り付ける。
【００１０】
シャーシ１１０の前面には表示部（図示せず）を有している。上記背面カバーは、スタンド支柱１１５がねじ１１７により取り付けられている背面カバー１１２、背面カバー１１４と、スタンド支柱１１５が取り付けられていない背面カバー１１３とに分割される。
【００１１】
更に、背面カバー１１２、背面カバー１１４は、表示部の支持に耐えるだけの補強が外観裏面に施してあり、前面カバー１０９に対して縁部をねじ１１６で結合することにより表示部が支持されている。また、電気部品１１１は、シャーシ１１０の背面に配されて、背面カバー１１３が対向する領域に収まるものとする。
【００１２】
以上のように、スタンド支柱１１５と背面カバー１１２、背面カバー１１４が取り付いた状態、つまり表示部の起立状態を保ったまま背面カバー１１３の着脱が可能となっている。その結果として、表示部背面のシャーシ１１０に配された電気部品１１１のメンテナンス性を向上させている。
【特許文献１】特開２００３−００８２５２号公報
【発明の開示】
【発明が解決しようとする課題】
【００１３】
しかしながら、上記特許文献１の表示装置においては、スタンド支柱が背面カバーを介して取り付けられているために、以下の課題を有していた。
（１）表示部の起立状態を保ちつつ、全ての背面カバーを取り外すことが困難である。
（２）表示部の背面の電気部品配置や形状でスタンド支柱取り付け位置や背面カバー分割位置が制約される。
（３）スタンド支柱が取り付く背面カバーは表示部の支持に耐え得る補強が必要である。
【００１４】
本発明の目的は、背面カバーの軽量化を図りつつ、必要に応じて表示部の起立状態を保ったまま全ての背面カバーを取り外すことができ、かつ、メンテナンスを効率的に行うことができる表示装置を提供することにある。
【課題を解決するための手段】
【００１５】
上記目的を達成するために、請求項１記載の表示装置は、前面に表示部を配置し背面に電気部品を配置したシャーシと、前記シャーシの背面にあって前記電気部品を被うように配置される背面カバーと、前記シャーシを背面で支持するスタンド支柱とを備え、前記背面カバーは複数に分割され、前記スタンド支柱とは独立して着脱可能であることを特徴とする。
【発明の効果】
【００１６】
本発明の表示装置によれば、背面カバーの軽量化を図りつつ、必要に応じて表示部の起立状態を保ったまま全ての背面カバーを取り外すことができ、かつ、メンテナンスを効率的に行うことができる。
【発明を実施するための最良の形態】
【００１７】
以下、本発明の実施の形態を図面を参照しながら詳細に説明する。
【００１８】
（第１の実施の形態）
図１は、本発明の第１の実施の形態に係る表示装置の分解斜視図、図２は、図１の表示装置において、背面カバー取り外し途中状態の斜視図、図３は、図２における背面カバー端部の拡大図である。
【００１９】
図１に示す表示装置は、台座１をベースとして１本のスタンド支柱２でシャーシ３を保持している。更に、シャーシ３の前面には表示部（図３に符号４０で示す）が配置され、接着剤等によりシャーシ３に保持している。シャーシ３の背面には、電源基板や制御基板等の電気部品１６が配置されている。
【００２０】
また、シャーシ３の背面にあって電気部品１６を被うように背面カバー配置される。背面カバーは、複数に分割され（背面カバー５、背面カバー）、スタンド支柱２とは独立して着脱可能である。その具体的な構成については、以降説明する。
【００２１】
本発明では、背面カバーの分割数ｎがスタンド支柱２の本数ｍに対してｎ＝ｍ＋１で構成されるのに従い、１本のスタンド支柱２に対して、シャーシ３の背面側で電気部品１６を被うように、背面カバーを、背面カバー５、背面カバー６の２枚に分割した。
【００２２】
ここで、背面カバー５と背面カバー６は互いに左右対称形状とする。対称面１５は、表示部の中央点を通り、かつ、表示部の表示面に垂直な鉛直面とする。シャーシ３背面に設けられた雌ねじ穴４に対して、スタンド支柱２に設けられた貫通穴７を通してねじ８を螺合することにより、スタンド支柱２とシャーシ３がねじ８により固定される。
【００２３】
図１を用いて、表示装置のスタンド支柱２の取り付け手順を説明する。
【００２４】
作業台等のほぼ水平な面に、表示部や該表示部の前方枠体を保護する緩衝材を敷いた後に、表示部を下向きにしてシャーシ３に設けられた雌ねじ穴４を露出させる。ねじ８をスタンド支柱２の貫通穴７を通して雌ねじ穴４に締結（螺合）することにより、スタンド支柱２のシャーシ３への取り付けが完了する。その後に、表示部を起立させ、スタンド支柱２、台座１により表示部の起立状態を維持する。
【００２５】
図２を用いて、背面カバー５、背面カバー６の取り付け構造について説明する。
【００２６】
フレーム１０は、シャーシ３の背面側中央部にカシメもしくは溶接により固定されており、表示部を支持するシャーシ３の剛性を上げるためにコの字形状の断面とシャーシ３に固定するフランジ形状面を有する。
【００２７】
隠蔽部１１ａ及び１１ｂは、スタンド支柱２と背面カバー５、背面カバー６に生じる隙間を塞ぐために背面カバー５及び背面カバー６の端部に設けられる。隠蔽部１１ａ及び１１ｂは、組み立て状態では、スタンド支柱２の前方に隠れ、端部付近には締結用のねじ貫通部を有している。
【００２８】
メンテナンス穴１２は、スタンド支柱２の中央付近を貫通する。更に、背面カバー５、背面カバー６の各々中央より端部付近には、ねじ締結用の貫通穴が設けられている。この貫通穴を通して、フレーム１０の雌ねじに固定ねじ（図示せず）を螺合することで、背面カバー５、背面カバー６をシャーシ３へ固定することが可能である。
【００２９】
また、図では省略するが、背面カバー５、背面カバー６の残り３辺の端部付近には、固定ねじ（図示せず）で表示部の前方枠体（図示せず）へ背面カバー５、背面カバー６を固定するための貫通穴を有している。このように、背面カバー５、背面カバー６の取り付けにより、シャーシ３の背面、天面、左右側面、底面を被うことが可能である。
【００３０】
次に、図３を用いて、背面カバー５と背面カバー６の接触部の構造を説明する。
【００３１】
背面カバー５の端部に、薄板板金の折り曲げ加工もしくはプレス加工により、端部曲げ形状の絞り加工部１７を設ける。左右対称形状の背面カバー６も同様の加工を施す。このように、絞り加工部１７を設けることにより、背面カバー５の端部と背面カバー６の端部が対称面１５で互いに面同士で接触するような構造となっている。
【００３２】
面同士の接触構造により、分割された背面カバーの接触部で互いの端面が露出せず、かつ、組み立て順序が順不同となった。
【００３３】
以上の構成において、電気部品１６のメンテナンスの手順を説明する。
【００３４】
メンテナンス穴１２からドライバ（図示せず）を差し込み、隠蔽部１１ａ及び１１ｂを固定するねじを外す。次に、背面カバー５、背面カバー６の周辺部で前方枠体に固定しているねじとフレーム１０に固定しているねじを外す。
【００３５】
その後、背面カバー５を図２の矢印１３方向（図の左側方向）へ、また、背面カバー６を矢印１４方向（図の右側方向）へ移動することにより、内部に配置した電気部品１６が露出する。これにより、必要な電気部品１６の調整や交換作業（メンテナンス）が可能となる。
【００３６】
このように、スタンド支柱２に干渉しない固定構造で、背面カバー５、背面カバー６を側方へ移動することによって、スタンド支柱２で表示部を起立した状態で、背面カバー５、背面カバー６を外して電気部品１６のメンテナンスが可能となる。
【００３７】
尚、以上説明した第１の実施の形態では、表示部の背面を背面カバー５、背面カバー６で予め被ってからスタンド支柱２を結合したが、予め被うことなく、スタンド支柱２を結合してから背面カバー５、背面カバー６を取り付けてもよい。
【００３８】
以上の構成により、以下に述べる効果が得られる。
（１）表示部をスタンド支柱２により起立した状態で、所望箇所の背面カバー５もしくは背面カバー６を取り外して内部の電気部品１６のメンテナンスができるため、作業性が向上する。
（２）上記のメンテナンスの際、全ての背面カバーを取り外すことで、全ての電気部品１６を露出することができる。
（３）表示部を、背面カバー５、背面カバー６を介さず、シャーシ３とともにスタンド支柱２に支持しているため、背面カバー５、背面カバー６において、荷重を支持する補強は不要で、背面カバー５、６の軽量化が可能である。
【００３９】
第１の実施の形態では、背面カバー５、背面カバー６が薄板板金の例を説明したが、その材質を限定するものではなく、分割構成された樹脂部材の背面カバーでも適用可能である。また、背面カバー５と背面カバー６は、必ずしも分割位置が表示部の中央点を通る対称面である必要は無く、表示部の中央から左右いずれかに距離を置いた位置に対称面を構成してもよい。
【００４０】
（第２の実施の形態）
図４は、本発明の第２の実施の形態に係る表示装置の分解斜視図、図５は、図４の表示装置において、３分割された背面カバー取り外し状態の斜視図、図６は、図４におけるスタンド支柱１９とフレーム２１の接合部付近の部分拡大図である。
【００４１】
図４、図５に示す第２の実施の形態の表示装置は、台座１８をベースとして２本のスタンド支柱１９でシャーシ３１を保持している。更に、シャーシ３１の前面には表示部（図示せず）が配置され、接着剤等によりシャーシ３１に保持されている。シャーシ３１の背面には、電源基板や制御基板等の電気部品３２が配置されている。
【００４２】
本発明では、背面カバーの分割数ｎがスタンド支柱１９の本数ｍに対してｎ＝ｍ＋１で構成されるのに従い、２本のスタンド支柱１９に対して、背面カバーを、シャーシ３１の背面側で電気部品３２を被うように３枚に分割した。
【００４３】
背面カバー２４は、シャーシ３１背面の中央付近を被っている。また、背面カバー２３と背面カバー２５は互いに左右対称形状とする。ここで、対称面（図示せず）は、第１の実施の形態と同様に、表示部の中央点を通り、かつ、表示部の表示面に垂直な鉛直面とする。
【００４４】
フレーム２１は、シャーシ３１の背面にカシメもしくは溶接により固定されてり、表示部を支持するシャーシ３１の剛性を上げるためにコの字形状の断面とシャーシ３１に固定するフランジ形状面を有する。フレーム２１に設けられた雌ねじ穴２２に対して、スタンド支柱１９に設けられた貫通穴２０を通してねじ２６を螺合することで、ねじ２６により、スタンド支柱１９とシャーシ３１が固定される。
【００４５】
図４を用いて、表示装置のスタンド支柱１９の取り付け手順を説明する。
【００４６】
作業台等のほぼ水平な面に、表示部や該表示部の前方枠体を保護する緩衝材を敷いた後に、表示部を下向きにしてフレーム２１に設けられた雌ねじ穴２２を露出させる。ねじ２６を、スタンド支柱１９の貫通穴２０を通してフレーム２１に配された雌ねじ穴２２に締結（螺合）することにより、スタンド支柱１９のシャーシ３１への取り付けが完了する。その後に、表示部を起立させ、スタンド支柱１９、台座１８により表示部の起立状態を維持する。
【００４７】
図５、図６を用いて、背面カバー２３、背面カバー２４、背面カバー２５の取り付け構造について説明する。
【００４８】
背面カバー２５の隠蔽部２７は、組み立て状態ではスタンド支柱１９の前方に隠れる部分である。更に、背面カバー２５の端部付近には、ねじ締結用の貫通穴が設けられており、フレーム２１の雌ねじと固定ねじ（図示せず）を用いて、背面カバー２５をシャーシ３１へ固定することが可能である。
【００４９】
また、図では省略するが、背面カバー２５の残り３辺の端部付近には、固定ねじ（図示せず）で表示部の前方枠体（図示せず）へ背面カバー２５を固定するための貫通穴を有している。背面カバー２５と左右対称形状の背面カバー２３に関しても、取り付け構造が背面カバー２５と同様であるので説明を省略する。
【００５０】
背面カバー２４は、対向する左右端部付近にフレーム２１に固定するための貫通穴を、また、対向する上下端部付近に表示部の前方枠体へ固定するための貫通穴を有している。このように、背面カバー２３、背面カバー２４、背面カバー２５の取り付けにより、シャーシ３１の背面、天面、左右側面、底面を被うことが可能である。
【００５１】
以上の構成において、電気部品３２のメンテナンスの手順を説明する。
【００５２】
背面カバー２３、背面カバー２５の周辺部で前方枠体に固定しているねじとフレーム２１に固定しているねじを外す。その後、背面カバー２３を図５の矢印２９方向（図の左側方向）へ、また、背面カバー２５を矢印３０方向（図の右側方向）へ移動する。
【００５３】
また、背面カバー２４は、対向する左右端部付近のフレーム２１に固定しているねじと、対向する上下端部付近の表示部の前方枠体へ固定しているねじを取り外し、矢印２８方向（図の手前方向）へ移動することにより、内部に配置した電気部品３２が露出する。
【００５４】
このように、スタンド支柱１９に干渉しない固定構造で背面カバーを分割することによって、スタンド支柱１９で表示部を起立した状態で、背面カバー２３、背面カバー２４、背面カバー２５を外して電気部品３２のメンテナンスを行うことができる。
【００５５】
尚、以上説明した第２の実施の形態では、表示部の背面を背面カバー２３、背面カバー２４、背面カバー２５で予め被ってからスタンド支柱１９を結合したが、予め被うことなく、スタンド支柱１９を結合してから背面カバーで被ってもよい。
【００５６】
以上の構成により、以下に述べる効果が得られる。
（１）表示部をスタンド支柱１９により起立した状態で、所望箇所の背面カバー２３、背面カバー２４、背面カバー２５のいずれかを取り外して内部の電気部品３２のメンテナンスができるため、作業性が向上する。
（２）上記のメンテナンスの際、全ての背面カバーを取り外すことで、全ての電気部品３２を露出することができる。
（３）表示部を、背面カバー２３、背面カバー２４、背面カバー２５を介さず、シャーシ３１とともにスタンド支柱１９に支持しているため、背面カバーにおいて、荷重を支持する補強は不要で、背面カバーの軽量化が可能である。
【００５７】
第２の実施の形態では、背面カバーが薄板板金の例を説明したが、その材質を限定するものではなく、分割構成された樹脂部材の背面カバーでも適用可能である。また背面カバー２３と背面カバー２５は必ずしも分割位置が表示部の中央点を通る鉛直面から均等である必要は無く、また対称面は、表示部の中央から左右いずれかに距離を置いた位置に構成してもよい。
【図面の簡単な説明】
【００５８】
【図１】本発明の第１の実施の形態に係る表示装置の分解斜視図である。
【図２】図１の表示装置において、背面カバー取り外し途中状態の斜視図である。
【図３】図２における背面カバー端部の拡大図である。
【図４】本発明の第２の実施の形態に係る表示装置の分解斜視図である。
【図５】図４の表示装置において、３分割された背面カバー取り外し状態の斜視図である。
【図６】図４におけるスタンド支柱とフレームの接合部付近の部分拡大図である。
【図７】第１の従来例に係る表示装置の分解斜視図である。
【図８】第２の従来例に係る表示装置の分解斜視図である。
【符号の説明】
【００５９】
１  台座
２  スタンド支柱
３  シャーシ
５  背面カバー
６  背面カバー
１０  フレーム
１１ａ  隠蔽部
１１ｂ  隠蔽部
１６  電気部品
４０  表示部
【図１】
2009229998.tif 000003
【図２】
2009229998.tif 000004
【図３】
2009229998.tif 000005
【図４】
2009229998.tif 000006
【図５】
2009229998.tif 000007
【図６】
2009229998.tif 000008
【図７】
2009229998.tif 000009
【図８】
2009229998.tif 000010